(57)【特許請求の範囲】
【請求項１】
液状物詰め替え用ディスペンサであって、
液状物を収容するための液状物収容部と、
前記液状物収容部の底部に配置され、液状物収容部内の液状物を外部に流出させるための流出管と、
前記液状物収容部の上端から所定高さのところに位置する頂板と、
前記液状物収容部と前記頂板との間の空間に配置され、詰め替え用パウチを収容するためのパウチ収容部と、
前記パウチ収容部内に配置され、液状物の詰め替え時に前記パウチ収容部内に詰め替え用パウチを置いた際に詰め替え用パウチから液状物が前記液状物収容部に流下するのを許容し、かつ、詰め替え用パウチが前記液状物収容部内に落下するのを防止するためのパウチ受けプレートとを備えていることを特徴とするディスペンサ。
【請求項２】
前記パウチ収容部が、前記液状物収容部と前記頂板との間の空間に着脱自在に嵌め込まれるように構成されており、或いは、下部を支点として回動させることにより上部が開放状態になるように構成されていることを特徴とする請求項１に記載のディスペンサ。
【請求項３】
前記パウチ受けプレートが、側面視でほぼ漏斗状となるように形作られた複数のプレートによって形成されていることを特徴とする請求項１又は２に記載のディスペンサ。
【請求項４】
前記請求項１から請求項３までのいずれか１項に記載の複数の液状物詰め替え用ディスペンサを並列状態に連結することによって形成されるディスペンサユニット。
【発明の詳細な説明】
【技術分野】
【０００１】
本発明は一般に、液状物詰め替え用ディスペンサ及びディスペンサユニットに関する。より詳細には、本発明は、液状物の詰め替えを容易に行うことができる液状物詰め替え用ディスペンサ及びディスペンサユニットに関する。
【背景技術】
【０００２】
シャンプー、リンス等の液状物では、詰め替え用の液状物を収容したパウチが市販されており、容器入りの液状物を使い切った後でも、詰め替え用のパウチを購入して液状物を補充すれば、液状物を使い切った容器を使用することができるので、経済的である。
【発明の開示】
【発明が解決しようとする課題】
【０００３】
しかしながら、詰め替え用のパウチから液状物を使い切った容器に液状物を詰め替える際、液状物を容器の外にこぼしてしまうことがある。また、特にシャンプー、リンス等の粘性のある液状物では、詰め替えにある程度の時間と手間がかかり、困難を極めるという課題もある。
【０００４】
本発明は、このような状況に鑑みて開発されたものであって、液状物の詰め替えを容易に行うことができる液状物詰め替え用ディスペンサを提供することを目的としている。
【課題を解決するための手段】
【０００５】
本願請求項１に記載の液状物詰め替え用ディスペンサは、液状物を収容するための液状物収容部と、前記液状物収容部の底部に配置され、液状物収容部内の液状物を外部に流出させるための流出管と、前記液状物収容部の上端から所定高さのところに位置する頂板と、前記液状物収容部と前記頂板との間の空間に配置され、詰め替え用パウチを収容するためのパウチ収容部と、前記パウチ収容部内に配置され、液状物の詰め替え時に前記パウチ収容部内に詰め替え用パウチを置いた際に詰め替え用パウチから液状物が前記液状物収容部に流下するのを許容し、かつ、詰め替え用パウチが前記液状物収容部内に落下するのを防止するためのパウチ受けプレートとを備えていることを特徴とするものである。
【０００６】
本願請求項２に記載の液状物詰め替え用ディスペンサは、前記請求項１のディスペンサにおいて、前記パウチ収容部が、前記液状物収容部と前記頂板との間の空間に着脱自在に嵌め込まれるように構成されており、或いは、下部を支点として回動させることにより上部が開放状態になるように構成されていることを特徴とするものである。
【０００７】
本願請求項３に記載の液状物詰め替え用ディスペンサは、前記請求項１又は２のディスペンサにおいて、前記パウチ受けプレートが、側面視でほぼ漏斗状となるように形作られた複数のプレートによって形成されていることを特徴とするものである。
【０００８】
本願請求項４に記載の液状物詰め替え用ディスペンサユニットは、前記請求項１から請求項３までのいずれか１項に記載の複数の液状物詰め替え用ディスペンサを並列状態に連結することによって形成されることを特徴とするものである。
【発明の効果】
【０００９】
本発明のディスペンサによれば、液状物の詰め替えを容易に行うことができる。また、本発明のディスペンサを吸盤やジョイント等を用いて壁面に取り付けることにより、省スペース化を図ることができる。また、本発明のディスペンサを透明又は半透明材料で形成することにより、液状物の残量の確認を容易に行うことができる。また、残量表示具を備えることにより、視力に障害のある人でも、液状物の残量の確認が可能になる。さらに、本発明のディスペンサが普及して液状物の詰め替えが一般的な使用法になれば、物品の流通の省資源化を達成することも可能になる。
【発明を実施するための最良の形態】
【００１０】
次に図面を参照して、本発明の好ましい実施の形態に係る液状物詰め替え用ディスペンサについて詳細に説明する。図１は、本発明の第１の実施の形態に係る液状物詰め替え用ディスペンサを示した分解斜視図である。図１において全体として参照符号１０で示される本発明の第１の実施の形態に係る液状物詰め替え用ディスペンサは、液状物を収容するための液状物収容部１２を備えている。
【００１１】
液状物収容部１２は、対向する前壁１２ａおよび後壁１２ｂと、前壁１２ａと後壁１２ｂの端部同士を連結する一対の側壁１２ｃおよび１２ｄと、底壁１２ｅとを有しており、上部が開放している。液状物収容部１２の底壁１２ｅには、液状物をディスペンサ１０の外部に流出させるための流出管１４が配置されており、流出管１４には、開閉用のバルブ又はポンプ１４ａが取り付けられている。
【００１２】
液状物詰め替え用ディスペンサ１０は又、液状物収容部１２の上方に位置する頂板１６を備えている。頂板１６は、支持部材１８によって液状物収容部１２の上端から所定高さＨのところに支持されている。
【００１３】
液状物詰め替え用ディスペンサ１０は更に、液状物収容部１２と頂板１６との間の空間に配置されるパウチ収容部２０を備えている。パウチ収容部２０は、対向する前壁２０ａおよび後壁２０ｂと、前壁２０ａおよび後壁２０ｂの端部同士を連結する一対の側壁２０ｃおよび２０ｄとを有しており、上部および下部が開放している。パウチ収容部２０は、平面視で液状物収容部１２と実質的に同じ大きさを有し、かつ、液状物収容部１２の上端と頂板１６との間の高さＨと実質的に同じ高さを有するように形成されている。
【００１４】
パウチ収容部２０の内側の下部には、前壁２０ａと後壁２０ｂとの間に、パウチ受けプレート２２が配置されている。パウチ受けプレート２２は、詰め替え時にパウチ収容部２０内にパウチを置いた際にパウチから液状物が液状物収容部２０に流下するのを許容し、かつ、パウチが液状物収容部１２に落下するのを防止する。パウチ受けプレート２２は、所定間隔隔てて対向するように前壁２０ａ及び後壁２０ｂにそれぞれ取り付けられた複数対（図１では４対）のプレートによって形成されており、各プレートは、パウチを収容し易いように、側面視でほぼ漏斗状となるように形作られている（図３（ｂ）参照）。
【００１５】
パウチ収容部２０には、パウチ収容部２０を液状物収容部１２と頂板１６との間の空間に嵌め込む際にパウチ収容部２０を固定するための固定具２１が設けられている。固定具２１は、液状物収容部１２の前壁１２ａ（又は、後壁１２ｂ）の幅とほぼ同じ幅を有する板によって形成されている。そして、固定具２１を液状物収容部１２内に挿入することによって、パウチ収容部２０が固定される。なお、固定具２１を他の形態（例えば、液状物収容部１２の前壁１２ａの上端に溝又は突起を設け、これに合致する突起又は溝をパウチ収容部２０の前壁２０ａの下端に設ける）にしてもよい。
【００１６】
以上のように構成された液状物詰め替え用ディスペンサ１０の使用について説明する。液状物を詰め替えようとする場合には、パウチ収容部２０を液状物収容部１２から取り外し、詰め替え用パウチの注ぎ口（図示せず）を切断等して開放した後、詰め替え用パウチを逆さまにしてパウチ収容部２０に収容する。次いで、パウチ収容部２０を液状物収容部１２に嵌め込む。すると、詰め替え用パウチから液状物が液状物収容部１２に流下する（図４参照）。所定時間が経過すると、詰め替え用パウチ内の液状物が全て、液状物収容部１２に流下する。その段階において、詰め替え用パウチをパウチ収容部２０から取り出してもよいし、パウチ収容部２０内に収容したままにしておいてもよい。液状物の使用時には、流出管１４のバルブ又はポンプ１４ａを開放して、液状物を流出させる。
【００１７】
次に、本発明の第２の実施の形態に係る液状物詰め替え用ディスペンサについて説明する。図５は、本発明の第２の実施の形態に係る液状物詰め替え用ディスペンサを示した斜視図である。図５において全体として参照符号３０で示される本発明の第２の実施の形態に係る液状物詰め替え用ディスペンサは、パウチ収容部４０をその下部を支点として回動させることにより上部が開放状態になるように構成されている点を除いて、液状物詰め替え用ディスペンサ１０と実質的に同一の構成を有している。
【００１８】
すなわち、液状物詰め替え用ディスペンサ３０は、液状物を収容するための液状物収容部３２と、液状物収容部３２の底部に配置され、液状物収容部３２内の液状物を外部に流出させるための流出管３４と、液状物収容部３２の上端から所定高さのところに位置する頂板３６と、液状物収容部３２と頂板３６との間の空間に配置され、詰め替え用パウチを収容するためのパウチ収容部４０と、パウチ収容部４０内に配置され、液状物の詰め替え時にパウチ収容部４０内に詰め替え用パウチを置いた際に詰め替え用パウチから液状物が液状物収容部３２に流下するのを許容し、かつ、詰め替え用パウチが液状物収容部３２内に落下するのを防止するためのパウチ受けプレート４２とを備えている。頂板３６は、支持板３８によって液状物収容部３２の上端から所定高さのところに支持されている。
【００１９】
液状物収容部３２は、対向する前壁３２ａおよび後壁３２ｂと、前壁３２ａと後壁３２ｂの端部同士を連結する一対の側壁３２ｃおよび３２ｄと、底壁３２ｅとを有しており、上部が開放している。また、流出管３４には、開閉用のバルブ又はポンプ３４ａが取り付けられている。さらに、パウチ収容部４０は、前壁４０ａと、後壁４０ｂ（図示されている例では、後壁４０ｂは、専らパウチ受けプレート４２を支持するためのものであるため、高さが低いが、このような形態に限定されるものではない）と、一対の側壁４０ｃおよび４０ｄとを有しており、上部および下部が開放している。パウチ収容部４０は、下部に設けられた支点４１を中心として回動するようになっており、パウチ収容部４０を回動させることにより上部を開放状態にすることができる（図５参照）。
【００２０】
液状物詰め替え用ディスペンサ３０の使用についても、詰め替え用パウチをパウチ収容部４０に収容する際にパウチ収容部４０を回動させて開放状態にする点を除いて、液状物詰め替え用ディスペンサ１０の使用と実質的に同一である。
【００２１】
なお、液状物がシャンプーやリンスである場合には、液状物詰め替え用ディスペンサ１０、３０を浴室の壁に固定する等して使用するのがよい。また、液状物詰め替え用ディスペンサ１０、３０をスタンド（図示せず）に載せて床に置いてもよい。さらに、液状物の残量を目視することができるように、液状物収容部１２、３２及び／又はパウチ収容部２０、４０を透明又は半透明材料で形成してもよい。
【００２２】
本発明は、以上の発明の実施の形態に限定されることなく、特許請求の範囲に記載された発明の範囲内で、種々の変更が可能であり、それらも本発明の範囲内に包含されるものであることはいうまでもない。
【００２３】
例えば、前記実施の形態では、ディスペンサ１０、３０が全体として直方体の形状であるように示されているが、他の任意の形状（例えば、平面形状が楕円形）に形成してもよい。また、液状物の流下を許容し、かつ、パウチの落下を防止するというパウチ受けプレート２２の本来の機能を達成することができる限りにおいて、パウチ受けプレート２２を、図７（ａ）〜（ｄ）に示されるような種々の任意の形状に形成してもよい。
【００２４】
また、図８に示されるように、複数のディスペンサ１０、３０を並列状態に連結してディスペンサユニットとして使用してもよい。その際、ディスペンサユニットの各ディスペンサに設けられている開閉用のバルブ又はポンプの操作部（例えば、押しボタン）を各ディスペンサ毎に異なる形状（例えば、円形、矩形、三角形など）にし、操作部の形状によって液状物の種類（例えば、シャンプー、リンスなど）を把握できるようにすると、装飾的に好ましいのみならず、使い勝手も良好となる。
【００２５】
さらに、ディスペンサ１０、３０に、液状物の残量を表示するための残量表示具２４を配置してもよい（図９参照）。図９（ａ）および（ｂ）に示される残量表示具２４は、液状物収容部１２の内部に位置するフロート２４ａと、液状物収容部２４の外部に位置する指標部２４ｂと、フロート２４ａと指標部２４ｂとを連結する逆Ｕ形の連結部材２４ｃと、液状物収容部２４の外部に配置され、連結部材２４ｃがほぼ垂直方向に昇降するように案内するためのガイド部２４ｄと、液状物収容部２４の外壁に設けられた目盛２４ｅとを有している。残量表示具２４を配置することにより、フロート２４ａが液位に応じて昇降し、指標部２４ｂがフロート２４ａの昇降に連動して昇降するため、液状物の残量を容易に把握することができる。また、目盛２４ｅを突起で表示することにより、視覚に障害のある人でも、液状物の残量を確認することができる。なお、図９（ａ）および（ｂ）における参照符号１８ａは、連結部材２４ｃが昇降することができるようにパウチ収容部２０に設けられた開口部を示している。
【図面の簡単な説明】
【００２６】
【図１】本発明の第１の実施の形態に係る液状物詰め替え用ディスペンサの分解斜視図である。
【図２】図１のディスペンサの斜視図である。
【図３】図３（ａ）は図１のディスペンサにおいてパウチ収容部が嵌め込まれていない状態の断面図、図３（ｂ）はパウチ収容部の断面図、図３（ｃ）は図３（ａ）の部分３ｃの拡大断面図である。
【図４】図１のディスペンサに詰め替え用パウチが収容されている状態を示した断面図である。
【図５】本発明の第２の実施の形態に係る液状物詰め替え用ディスペンサの斜視図である。
【図６】図６（ａ）は図５のディスペンサのパウチ収容部が閉鎖されている状態を示した断面図、図６（ｂ）は図５のディスペンサのパウチ収容部が開放されている状態を示した断面図である。
【図７】パウチ受けプレートの変形形態を示した断面図である。
【図８】図１のディスペンサを並列状態に連結したディスペンサユニットを示した斜視図である。
【図９】図９（ａ）は残量表示具を示した図、図９（ｂ）は図９（ａ）の部分９ｂの拡大図である。
【符号の説明】
【００２７】
１０、３０  液状物詰め替え用ディスペンサ
１２、３２  液状物収容部
１４、３４  流出管
１６、３６  頂板
１８、３８  支持部材
２０、４０  パウチ収容部
２２、４２  パウチ受けプレート
２４  残量表示具
【図１】
0004570154.tif 000002
【図２】
0004570154.tif 000003
【図３】
0004570154.tif 000004
【図４】
0004570154.tif 000005
【図５】
0004570154.tif 000006
【図６】
0004570154.tif 000007
【図７】
0004570154.tif 000008
【図８】
0004570154.tif 000009
【図９】
0004570154.tif 000010